(57)【要約】  各々が桁で作られたフレームを有する、複数の箱型構造要素を含む多層防御システムが提供され、フレームは下側で床によって境界とされ、上側で屋根、および４つの側面で境界とされて、かつ複数のうちの少なくとも２つの箱型構造要素が、外側を有するモジュール式防御構造を形成するために相互に隣接して配置される。本システムは、外側と隣接するように構成された複数の壁、ならびに前記複数の壁および屋根に隣接して取り付けるように構成された防護壁の少なくとも１層をさらに備える。モジュール式多層防御システムを現場で建設する方法も提供される。【選択図】図８
2018519444.tif 000002
【特許請求の範囲】
【請求項１】
各々が桁で作られたフレームを有する、複数の箱型構造要素であって、前記フレームは下側で床によって境界とされ、上側で屋根、および４つの側面で境界とされて、かつ前記複数のうちの少なくとも２つの箱型構造要素は、外側を有するモジュール式防御構造を形成するために相互に隣接して配置される、複数の箱型構造要素と、
前記外側と隣接するように構成された複数の壁と、
前記複数の壁および前記屋根に隣接して取り付けるように構成された防護壁の少なくとも１層と
を備える、多層防御システム。
【請求項２】
防護壁の前記少なくとも１層は、前記壁または前記屋根を覆う防護パネルである、請求項１に記載の多層防御システム。
【請求項３】
前記桁のうちの側桁は、前記防護パネルを受け入れるように構成された向かい合った方向の縦レールを備える、請求項２に記載の多層防御システム。
【請求項４】
前記少なくとも１つの防護壁は、前記壁を覆うために隣接して取り付けられた複数の防護板を含む、請求項１に記載の多層防御システム。
【請求項５】
前記桁のうちの側桁および前記複数の壁のうちの少なくとも一部は、前記防護板の対応するピンを受け入れるためのリングを備える、請求項４に記載の多層防御システム。
【請求項６】
防護パネルを受け入れるように構成された一対のレールは、相互に平行である、請求項３に記載の多層防御システム。
【請求項７】
防護パネルを受け入れるように構成された一対のレールは、下方向に向かって収束している、請求項３に記載の多層防御システム。
【請求項８】
前記構造要素は、ＩＳＯコンテナから形成される、請求項１に記載の多層防御システム。
【請求項９】
前記構造要素は、２０ｆｔ  ＩＳＯコンテナから形成される、請求項１に記載の多層防御システム。
【請求項１０】
前記モジュール式防御構造の前記構造要素は、相互に固定される、請求項１に記載の多層防御システム。
【請求項１１】
防護壁は、その隣接する壁から分離バッファによって間隔を置かれている、請求項１に記載の多層防御システム。
【請求項１２】
前記モジュール式防御構造では、各構造要素は、隣接する構造要素と接している、請求項１に記載の多層防御システム。
【請求項１３】
前記多層防御システムは、１２０ｍｍ迫撃砲の爆破に耐えることができる、請求項１に記載の多層防御システム。
【請求項１４】
前記防護パネルは、固い鋼板で形成される、請求項２に記載の多層防御システム。
【請求項１５】
前記防護板は固い鋼板で作られる、請求項４に記載の多層防御システム。
【請求項１６】
前記防護板の各々は、内側に、前記フレームおよび前記壁の対応するリングに吊るすように適合されたピン、ならびに外側から人が前記防護板を前記壁に吊るすのを可能にするように構成されたハンドル、および防護板の別の層の対応するピンを受け入れるように構成されたリングを備える、請求項４に記載の多層防御システム。
【請求項１７】
前記防護壁は、能動的防御層から形成される、請求項１に記載の多層防御システム。
【請求項１８】
前記構造要素は、両方の対向する側から拡張できる拡張可能構造要素とすることができる、請求項１に記載の多層防御システム。
【請求項１９】
前記屋根は、前記構造要素を持ち上げることができるように構成されたリフティング耳を備える、請求項１に記載の多層防御システム。
【請求項２０】
前記防護パネルは、前記防護パネルを垂直または水平状態で持ち上げるのを可能にするように構成されたリフティング耳を備える、請求項２に記載の多層防御システム。
【請求項２１】
前記複数の壁のうちの１つはドアを備え、かつ前記隣接する防護壁は、対応する開口部を有するように対応する、請求項１に記載の多層防御システム。
【請求項２２】
多層防御システムを建設現場で建設する方法であって、
桁から作られたフレームを有する少なくとも１つの箱型構造要素を前記建設現場に配送することと、前記フレームは下側で床によって、上側で屋根、および４つの側面で境界され、
外側を有する防御構造を形成するために前記構造要素を、１つを他の傍らに配置することと、
前記外側を壁でふさぐことと、
防護壁の少なくとも１層を前記外壁および前記屋根の上に隣接して配置することと
を含む、多層防御システムを建設現場で建設する方法。
【請求項２３】
前記外側を壁でふさぐことは、建設計画に従って前記配送する前に、実行される、請求項２２に記載の多層防御システムを建設現場で建設する方法。
【請求項２４】
前記構造要素は、前記構造要素の体積の約３倍に拡張する拡張可能な要素である、請求項２２に記載の多層防御システムを建設現場で建設する方法。
【請求項２５】
前記防護壁を前記隣接して配置することは、壁全体を覆うために、防護パネルを前記構造要素の前記桁上の対応するレールを通して挿入することを含む、請求項２２に記載の多層防御システムを建設現場で建設する方法。
【請求項２６】
前記防護壁を前記隣接して配置することは、複数の防護板の少なくとも１層を前記構造要素の前記外壁に吊るすことを含む、請求項２２に記載の多層防御システムを建設現場で建設する方法。
【発明の詳細な説明】
【技術分野】
【０００１】
本発明は、武力衝突地帯に建てられる人間用シェルターの分野に関し、より詳細には、紛争地域に現場で容易に建設できて、多層防御を含む、シェルターの分野に関する。
【背景技術】
【０００２】
多くの戦場では、部隊を守る必要がある場合、塹壕が掘られているか、または防護壁が建てられている。長年、防護壁は現地の土壌または砂で充填された袋で作られた。このシステムは非常に安価であり、充填する際に、人によって容易に遂行できる、比較的小さい袋によって遂行できるので、実施が容易である。従って、十分な袋が積み重ねられる場合、ライフル銃および機関銃のような軽および中位の平射火器に対して十分な防御を可能にする。
【０００３】
世界中の多くの武力衝突地帯では、ロケット、ミサイル、および迫撃砲のような、急勾配弾道兵器（ｓｔｅｅｐ−ｔｒａｊｅｃｔｏｒｙ  ｗｅａｐｏｎ）によって軍隊が損傷を受けるのを防ぐ必要がある。この場合、上側からも十分に防護する必要があるため、土壌または砂で充填した袋の積重ねは十分でない。
【０００４】
シェルター、バンカー（ｂｕｎｋｅｒ）または他のタイプの構築建造物などの、多種多様な構造物およびソリューションが使用される。これらの構造物は必要な防御を提供するが、それらは、様々な欠点に悩まされ、非常に高価で、多大な建設時間を必要とし、別の現場で再利用できない。
【０００５】
急勾配弾道兵器から防護するシェルター構造を提供するために、様々なソリューションが市場で知られている。Ｙｅｈｕｄａ  Ｆｅｎｃｅｓ  Ｌｔｄ．（ｗｗｗ．ｙｆｅｎｃｅ．ｃｏ．ｉｌ）による「Ｍｉｖｔｓａｒ  Ｙｅｈｕｄａ」（すなわち、ユダヤ要塞（Ｙｅｈｕｄａ  Ｆｏｒｔｒｅｓｓ））は、６００×２５０×２５０ｃｍのサイズの海上コンテナ防御のための迅速な建設に対して設計される軍事要塞構造である。「Ｍｉｖｔｓａｒ  Ｙｅｈｕｄａ」は、亜鉛めっき鋼ネットエンベロープから構築される要素、およびＵＶ保護ジオテキスタイル布で作られた内側シートから成る。これらの要素が土壌で充填される場合、それらは、膨らんだ箱様形状を形成する。充填済み要素を、１つを他に隣接して配置すると、コンテナの周囲に防御構造を建設できる。しかし、この構造の主な欠点は、基本的要素が、防護屋根の構築には直接使用できないことである。従って、土壌で充填した要素を防護屋根として配置可能にするためには、第１に、それが、ワンピース構造、または、その上の高荷重に崩壊することなく耐えることができる頑丈な構造を形成するために相互にモジュール式に連結される鋼桁、棒および板で作られたモジュール構造にかかわらず、、特別な鋼製構造フレームを建てる必要がある。第２に、鋼製構造フレームは、以前に建てられた充填済み要素の構造上に配置され、次いで、第３に、新たに充填された要素が、構造フレーム上に配置されて防護屋根として使用される。構造フレームは、その上に印加される重荷重に耐えるために、比較的高さが高いので、防護するアイテム、この場合は、コンテナを、中傾斜軌道（ｍｅｄｉｕｍ  ｉｎｃｌｉｎａｔｉｏｎ  ｒａｊｅｃｔｏｒｙ）爆発アイテムに曝す。従って、コンテナが上面から満足に防護されるのを確実にするために、構造フレームは、十分に大きく、すなわち、充填済み要素で作られる垂直壁に対して広く重複して、形成する必要がある。さらに、炸薬が落ちて防護地域への入り口の近隣で炸裂する場合、防護地域に向かう一直線の爆発がある。この問題は、相当な数の充填済み要素を追加して、回避され得る。
【０００６】
英国を本拠地とする、ＨＥＳＣＯ  Ｂａｓｔｉｏｎ  Ｌｔｄ（ｗｗｗ．ｈｅｓｃｏ．ｃｏｍ）は、Ｃｏｎｃｅｒｔａｉｎｅｒユニットとして知られている部隊防護製品を製造している。Ｃｏｎｃｅｒｔａｉｎｅｒユニットは、溶接された亜鉛／Ａｌｕコーティング鋼線メッシュから製造されて、垂直の螺旋コイル接合部と接合された、マルチセルラー壁システムである。本ユニットは、頑丈な不織ポリプロピレンジオテキスタイルで裏張りされている。Ｃｏｎｃｅｒｔａｉｎｅｒユニットは、防御バリアーおよび他の構造物を最小限のマンパワーおよびリソースで迅速に構築するために現地で入手可能な充填材料を使用する。Ｃｏｎｃｅｒｔａｉｎｅｒユニットは、脅威ニーズおよび必要な防護レベルに応じて、効果的かつ効率的な構造物を提供するために、拡張および組み合わせることができる。現場での高速な展開（ｒａｐｉｄ  ｉｎ−ｔｈｅａｔｅｒ  ｄｅｐｌｏｙｍｅｎｔ）では、２０ｆｔ  ＩＳＯコンテナ設置面積内で輸送できるＣｏｎｃｅｒｔａｉｎｅｒユニットの量を著しく増加するために特別に設計および工作されたコンテナを利用する。ＨＥＳＣＯは、ＨＬＢＲ（ＨＥＳＣＯ軽量バンカー屋根）、ＩＤＦ兵器に対して防護するために特別に設計された迅速かつ容易に建設可能な軽量屋根を開発してきた。屋根は、その屋根がそれに課す荷重を受けることが可能なほとんどの壁の上に構築できる。重ねて、この屋根は、その上に課される荷重に耐えるために特別に構築されたアイテムであり、壁を形成する同じユニットから作ることはできない。
【０００７】
ＨＥＳＣＯバンカーセットは、４０ｆｔおよび２０ｆｔ  ＩＳＯコンテナを利用するために開発されてきた。壁は、１ｍを超える厚さの防護壁を提供するために特別に適合されたＭｉｌ  １  Ｃｏｎｃｅｒｔａｉｎｅｒユニットを使用して構築される。屋根の設計では、０．６ｍの掩蓋を提供する。資材バンカーは、バンカーの１つの端部からのアクセスを提供し、他方、隊員用バンカーは、両方の端部からのアクセスを提供する。重ねて、この設計では、屋根は壁を形成しているのと同じユニットを利用できない。
【発明の概要】
【発明が解決しようとする課題】
【０００８】
前述した欠点を大幅に低減するか、または克服する多層防御システムを提供することを目的とする。
【０００９】
輸送可能なモジュール式防御システムを提供することは、さらなる目的である。
【００１０】
容易かつ迅速に建設して分解されるモジュール式防御構造を提供することは、なおさらなる目的である。
【００１１】
運用しやすいモジュール式防御システムを提供することは、その上さらなる目的である。
【００１２】
多層防御を提供するモジュール式防御システムを提供することも、さらなる目的である。
【００１３】
多数回、完全に使用され得る多層防御システムを提供することも、さらなる目的である。
【課題を解決するための手段】
【００１４】
提示される実施形態によれば、
各々が桁で作られたフレームを有する、複数の箱型構造要素であって、フレームは下側で床によって境界とされ、上側で屋根、および４つの側面で境界とされて、かつ複数のうちの少なくとも２つの箱型構造要素が、外側を有するモジュール式防御構造を形成するために相互に隣接して配置される、複数の箱型構造要素；
前記外側と隣接するように構成された複数の壁；
前記複数の壁および屋根に隣接して取り付けるように構成された防護壁の少なくとも１層を備える、多層防御システムが提供される。
【００１５】
別の実施形態によれば、防護壁の前記少なくとも１層は、壁または屋根を覆う防護パネルである。
【００１６】
別の実施形態によれば、桁のうちの側桁は、防護パネルを受け入れるように構成された向かい合った方向の縦レールを備える。
【００１７】
別の実施形態によれば、前記少なくとも１つの防護壁は、壁を覆うために隣接して取り付けられた複数の防護板を含む。
【００１８】
別の実施形態によれば、桁のうちの側桁および複数の壁のうちの少なくとも一部は、防護板の対応するピンを受け入れるためのリングを備える。
【００１９】
別の実施形態によれば、防護パネルを受け入れるように構成された一対のレールは、相互に平行である。
【００２０】
別の実施形態によれば、防護パネルを受け入れるように構成された一対のレールは、下方向に向かって収束している。
【００２１】
別の実施形態によれば、構造要素は、ＩＳＯコンテナから形成される。
【００２２】
別の実施形態によれば、構造要素は、２０ｆｔ  ＩＳＯコンテナから形成される。
【００２３】
別の実施形態によれば、モジュール式防御構造の構造要素は、相互に固定される。
【００２４】
別の実施形態によれば、防護壁は、その隣接する壁から分離バッファによって間隔を置かれている。
【００２５】
別の実施形態によれば、モジュール式防御構造では、各構造要素は、隣接する構造要素と接している。
【００２６】
別の実施形態によれば、多層防御システムは、１２０ｍｍ迫撃砲の爆破に耐えることができる。
【００２７】
別の実施形態によれば、防護パネルは、固い鋼板で形成される。
【００２８】
別の実施形態によれば、防護板は固い鋼板で作られる。
【００２９】
別の実施形態によれば、防護板の各々は、内側に、フレームおよび壁の対応するリングに吊るすように適合されたピン、ならびに外側から人が防護板を壁に吊るすのを可能にするように構成されたハンドル、および防護板の別の層の対応するピンを受け入れるように構成されたリングを備える。
【００３０】
別の実施形態によれば、防護壁は、能動的防御層から形成される。
【００３１】
別の実施形態によれば、構造要素は、両方の対向する側から拡張できる拡張可能構造要素とすることができる。
【００３２】
別の実施形態によれば、屋根は、構造要素を持ち上げることができるように構成されたリフティング耳（ｌｉｆｔｉｎｇ  ｅａｒ）を備える。
【００３３】
別の実施形態によれば、前記防護パネルは、防護パネルを垂直または水平状態で持ち上げるのを可能にするように構成されたリフティング耳を備える。
【００３４】
別の実施形態によれば、複数の壁のうちの１つは、ドアを備え、隣接する防護壁は、対応する開口部を有するように対応する。
【００３５】
別の態様によれば、
桁から作られたフレームを有する少なくとも１つの箱型構造要素を建設現場に配送すること、前記フレームは下側で床によって、上側で屋根、および４つの側面で境界とされる；
外側を有する防御構造を形成するために構造要素を１つを他の傍らに配置すること；
外側を壁でふさぐこと；
防護壁の少なくとも１層を外壁および屋根の上に隣接して配置すること；
を含む、多層防御システムを建設現場で建設する方法が提供される。
【００３６】
別の実施形態によれば、外側を壁でふさぐことは、建設計画に従って配送する前に、実行される。
【００３７】
別の実施形態によれば、構造要素は、構造要素の体積の約３倍に拡張する拡張可能な要素である。
【００３８】
別の実施形態によれば、防護壁を前記隣接して配置することは、壁全体を覆うために、防護パネルを構造要素の桁上の対応するレールを通して挿入することを含む。
【００３９】
別の実施形態によれば、防護壁を前記隣接して配置することは、複数の防護板の少なくとも１層を構造要素の外壁に吊るすことを含む。
【００４０】
本発明のより良い理解のため、およびそれを実際に実行し得る方法を示すために、ここで添付の図面を参照する。
【図面の簡単な説明】
【００４１】
【図１】例示的な実施形態に従った、多層防御システムの第１の構造要素の斜視図である。
【図２】例示的な実施形態に従った、多層防御システムの第２の構造要素の斜視図である。
【図３】例示的な実施形態に従った、多層防御システムの第３の構造要素の斜視図である。
【図４】トラックによる輸送中の、例示的な実施形態に従った構造要素の斜視図である。
【図５】トラックによる輸送中の、例示的な実施形態に従った防護パネルの斜視図である。
【図６】建設現場で荷降ろし中の、例示的な実施形態に従った構造要素の斜視図である。
【図７】適切な場所に配置される例示的な実施形態に従った防護パネルを構造要素の側壁上に組み立てるプロセスの斜視図である。
【図８】適切な場所に配置される例示的な実施形態に従った防護パネルを構造要素の屋根の上に組み立てるプロセスの斜視図である。
【図９】例示的な実施形態に従った組み立てられた多層防御システムの斜視図である。
【図１０】屋根を取り除いて示された、例示的な実施形態に従った３つの構造要素の第１の組立配列における斜視図である。
【図１１】屋根を取り除いて示された、例示的な実施形態に従った３つの構造要素の第２の組立配列における斜視図である。
【図１２Ａ】例示的な実施形態に従った、多層防御システムの拡張可能な構造要素の上から見た図である。
【図１２Ｂ】図１２Ａに示す拡張可能な構造要素の、拡張状態における、上から見た図である。
【図１３Ａ】例示的な実施形態に従った壁を構築するために使用できる防護パネルである。
【図１３Ｂ】図１３Ａに示す防護パネルをその外側から示す。
【図１４】例示的な実施形態に従った多層防御システム上に形成された防護壁である。
【発明を実施するための形態】
【００４２】
各々が桁で作られたフレームを有する、複数の箱型構造要素であって、フレームは下側で床によって境界とされ、上側で屋根、および４つの側面で境界とされて、かつ複数のうちの少なくとも２つの箱型構造要素が、外側を有するモジュール式防御構造を形成するために相互に隣接して配置される、複数の箱型構造要素；
前記外側と隣接するように構成された複数の壁；
前記複数の壁および屋根に隣接して取り付けるように構成された防護壁の少なくとも１層
を備える、多層防御システムを記述する。
【００４３】
まず、図１〜図３を参照すると、例示的な実施形態に従った多層防御システムとして単独で機能を果たすか、またはその部分を形成し得る構造要素１０の３つの実施形態が示されている。構造要素１０の各々は、箱型で、桁１６で作られたフレーム１４を含む。各箱型は、６面：床１８がその上に適切な桁１６の間で延在し得る構造要素１０の下側２０；屋根２２がその上に適切な桁１６の間で延在し得る構造要素１０の上側２４；２つの実質的に向かい合った方向の長い面２６、および長い面２６の間に延在する２つの実質的に向かい合った方向の短い面２８を有する。長い面２６または短い面２８の各々は、桁間のフレーム１４まで延在する閉じた壁３０を含み得るか、または開いた面であり得る。明細書およびクレーム全体にわたって出現する方向を示す用語、例えば、「前方へ（ｆｏｒｗａｒｄ）」、「後方の（ｒｅａｒ）」、「上側（ｕｐｐｅｒ）」、「下側（ｌｏｗｅｒ）」など、が、様々な面の位置を相互に区別するための便宜上の用語として使用されることに留意すべきである。これらの用語は、図を参照して定義されるが、それらは、例示のみを目的として使用され、添付のクレームの範囲を制限することを意図していない。
【００４４】
各構造要素１０は、多層防御システム１２の一部として適切であるように独立して製造できる。しかし、標準的なＩＳＯコンテナは比較的安価で、便利であり、それらのフレームは、強くて剛性かつ耐久性があるとして広く認められているので、標準的なＩＳＯコンテナを使用することは有益である。
【００４５】
典型的には、ほとんどの使用に対して、多層防御システム１２は、各構造要素１０を形成するために２０ｆｔ  ＩＳＯコンテナを利用した。しかし、いくつかの実施形態によれば、４０ｆｔ  ＩＳＯコンテナも効果的に使用され得る。
【００４６】
従って、図１は、壁３０を前方および後方に面する長い面２６上に、および壁３０を短い面２８の各々上に有する構造要素１０を示す。さらに、図に示すように、前壁３０は、さらに説明するように、建てられた多層防御システム１２の中に人が入れるようにするためのドア３４を備える。
【００４７】
図２は、開いた面３２を正面の長い面２６上に、また壁３０を２つの短い面２８上に有する構造要素１０を示す。
【００４８】
図３は、一対の隣接する長い面２６および短い面２８は開いた面３２で、かつ、他の一対の隣接する長い面２６および短い面２８は壁３０を有する、構造要素１０を示す。
【００４９】
図２および図３では、家具２９、この場合はテーブルと２脚の椅子、が、シェルターを準備する際に便宜を図るために、構造要素１０内に組み込むことができることが分かる。
【００５０】
フレーム１４の側桁１６は、垂直に向けられた向かい合ったレール３６を備える。レール３６は、後述するように、板を受け入れるために、概ね相互に平行で、向かい合っている。任意選択として、いくつかの実施形態によれば、レール３６は、下方向に向かって互いにわずかに収束している。
【００５１】
リフティング耳５２は、フレーム１４の上部に、一例として、クレーンを使用して構造要素を運ぶのを可能にするために、上向きに備える。
【００５２】
構造要素１０の各々は、現地のフォークリフトまたはクレーンで荷降ろしするために、標準的なトラックによって建設現場４０（図７に示すように）に輸送される。しかし、典型的には、図４に見られるように、構造要素１０は各々、建設現場で構造要素１０を荷降ろしするためにそれ自身のクレーン４４を備えたトラック４２によって輸送される。構造要素は、建設現場に設置するように完全に準備して、即時利用に対して準備を整えて輸送できるか、または「裸で（ｎａｋｅｄ）」（フレームのみ）または一部「裸で」輸送されて、現場で準備できる。これは、壁が独立して輸送されて、現場でフレームに取り付けられることを意味する。この場合、構造要素の輸送中、その開いている側は、所望であれば、構造要素の設置中は、巻かれるか、折り畳まれるか、または除去される、キャンバス、ファブリック、または同様のもので作られた一時的なカバー７２で、覆われ得る。
【００５３】
本明細書で前述のように、構造要素のフレームの縦桁は、多層防御システムの壁の弾道抵抗性を向上させるための防護パネルを受け入れるように適合されたレール３６を備える。防護パネルは、全側面を覆うように実質的に構造要素の側面と同じサイズであり、鉄鋼または他の防護材の少なくとも１層から形成され得る。従って、多くの場合、防護パネルは３０ｍｍ鋼板から形成される。しかし、本発明の好ましい実施形態によれば、防護パネルは、当技術分野で周知の防護パネルに従って、受動的防御または能動的防御のいずれかの、いくつかの防御層から形成される。
【００５４】
任意選択として、レールの代わりに、フレームおよび壁は、本明細書で後に示すように、構造要素の層の側面に設置できる複数のもっと小さい防護板を固定するように適合された要素を備えることができる。
【００５５】
図５は、トラック４２上での防護パネル４６の輸送を示しており、トラック４２は、構造要素１０の輸送と同様、好ましくは、建設現場のそれらの場所で、防護パネル４６の積込みおよび荷降ろしのためにそれ自身のクレーン４４を有するトラック４２である。好ましくは、防護パネル４６は、トラック４２に積み込まれて、１つが他の上に水平に置かれる。防護パネル４６は、構造要素の４つの側面および屋根を覆うように適合される。構造要素の屋根の上への設置を目的とする防護パネル４６について、防護パネル４６の各々は、好ましくは、防護パネル４６を、クレーン４４を用いてトラック４２から持ち上げて、それらを屋根の上の正しい位置に設置するのを可能にするための４つの上端リフティング耳５０を備える。防護パネル４６が壁３０（図１〜図３）に隣接して設置される場合には、防護パネル４６の各々は、防護パネル４６を、クレーン４４を用いてトラック４２から持ち上げて、それらを正しい位置に設置するのを可能にするための２つの端部リフティング耳４８（図７に示す）を備える。
【００５６】
建設現場は、構造要素および防護パネルを輸送するトラックがアクセス可能な地域内で選択される。さらに、建設現場は、防護パネル４６と一緒に構造要素１０の全部の重量に、局所的な沈下のいかなる兆候も示すことなく、耐えることができるように、水平で、平ら、かつ押し固められるように準備される。
【００５７】
図６に示すように、トラック４２が、建設現場４０の荷降ろし位置に到着すると、構造要素１０の各々が構造リフティング耳５２を使って持ち上げられて、クレーン４４を用いて荷降ろしされて、適切な位置に配置される。第１の構造要素１０がその最終位置に配置されると、建設計画に従い、間に間隙がないようにそれに隣接して、次の構造要素１０がそれに隣接して配置され、所望であれば、多層防御システムを形成する複数の構造要素が、当技術分野で周知の様々な方法で、一緒に固定され得る。フレームが最初に組み立てられている場合、建設計画に従って、外壁だけが完全な構造に設置されることに言及しておきたい。
【００５８】
次のステップで、全ての構造要素１０が適切な位置に配置され、任意選択として一緒に固定された後、図７に示すように、防護パネル４６が、構造要素１０の外壁３０を覆って設置される。このように、防護パネル４６は、クレーン４４により、２つの端部リフティング耳４８を使って持ち上げられて、構造要素の上側から対応するレール３６に挿入される。防護パネル４６をレール３６により容易に挿入するのを可能にするために、レール３６は下方向に向かってわずかに収束している。従って、第１の態様から、レール３６間の上側開口部５４は、レール３６間の下側開口部５６よりも、典型的には５ｍｍ〜５０ｍｍの距離だけ、大きい。上側開口部５４は、構造要素の長さよりも、典型的には５ｍｍ〜５０ｍｍだけ、わずかに大きい。第２の態様から、レール３６間の下側開口部５６は、構造要素の長さと同様であり、それからわずかに大きい。
【００５９】
レール３６の前述の構造により、パネルの下端６０をレール３６に挿入することはより容易である。その結果、防護パネル４６がその最終位置まで下げられると、パネルの下端６０は、その両側でレール３６間にしっかりと置かれる。図７に見られるように、ドア３４を備えた壁３０を覆って、防護パネル４６を設置したい場合、防護パネルは、壁３０に配置されたドア３４の形状および位置に一致する、対応するドア開口部６２を備える。
【００６０】
次のステップで、図８に示すように、防護パネル４６は構造要素の屋根の上に設置される。これは、クレーン４４を用いて、各防護パネル４６をその上端リフティング耳５０を使って持ち上げて、それらを正しい位置に配置することによって行われる。屋根の上に配置される防護パネル４６は、好ましくは、屋根からわずかに間隔を置いて配置され、壁３０に固定されている隣接した垂直の防護パネル４６に当接する。
【００６１】
こうして、図９に示すように、全ての防護パネル４６が、構造要素１０の外壁および屋根の上に設置されると、完全な多層防御システム１２が提供されている。多層防御システム１２は、戦場で、例えば、部隊の前線のための防御シェルター、作戦部のための防御シェルター、臨時前線救護所または野戦病院のための防御シェルター、および同様のものなど、様々な機能を果たし得る。さらに、多層防御システム１２は、通信システム、コンピュータ、および同様のものなどの、高価または機密機器を防護するために使用され得る。
【００６２】
多層防御システム１２の建設が完了すると、好ましくは、迅速な連結を通して、喚起装置、化学および生物濾過装置、空調、送電線または局所的に運用する発電機のいずれかによる電力、一般的および安全性が保証された両方の、通信システム、ならびに必要であり得る他の追加のシステムが構造に設けられる。多層防御システム１２は、構造要素１０および防護パネル４６が建設現場４０に到着した時点から４〜５時間で完全に設置できる。使用の必要性がなくなると、多層防御システム１２は、逆の順序で分解されて、将来の使用のために保管され得る。従って、前述のように、多層防御システム１２は、モジュール式であり、現地のインフラストラクチャおよび農業地域に影響を及ぼすことなく、必要に応じて組み立てて分解することができる。
【００６３】
図１０は、第１の組立配列６４を示す。第１の組立配列６４によれば、２０ｆｔ  ＩＳＯコンテナのサイズの３つの構造要素１０が使用されて、それらの長い面２６で相互に連結されている。
【００６４】
図１１は、別の建設計画に従った第２の組立配列６６を示す。第２の組立配列６６によれば、２０ｆｔ  ＩＳＯコンテナのサイズの４つの構造要素１０が使用されて、２つの長い面２６と２つの短い面２８で相互に連結されている。構造要素１０の各々のフレーム１４の桁１６は、屋根および、屋根の上に配置される防護パネル４６を支えるので、切ることができず、中央桁１７が、構造要素の各々の４つの隣接した桁から、構造の真ん中に形成される場合がある。これらの場合、分割テーブル６８などの、特定の設備を再設計する必要があり得る。
【００６５】
前述のある計画では、構造要素の壁３０および屋根（明確にするために計画図では除去されている）の組合せは、分離バッファ７０によってそれらから間隔を置かれている防護パネル４６と一緒に、多層防御システム６６を形成し、それは、１２０ｍｍ迫撃砲の爆破に対して、多層防御システム内に滞在する人に影響を及ぼすことなく、その直撃、または爆破後に生じる衝撃波のいずれにも、耐えることができる。構造要素は、バッファ７０を使用して防護パネル４６から分離されているので、それらは、別々に輸送および持ち上げることができる。これは、持ち上げ重量が削減されて、より軽量のクレーンおよびより軽量のトラックを使用する可能性、紛争時および緊急事態においては重大な要因、のために、持ち上げ作業中の大きな利点を具現化する。
【００６６】
多層シェルターシステムを建設する時間の削減および構造要素を運ぶトラック量の削減の同じ点に関して、ここで、例示的な実施形態に従った多層防御システムの拡張可能な構造要素を、折り畳んだ状態および拡張可能な状態において、上から見た図を示す図１２Ａおよび図１２Ｂを参照する。正面の標準的な出入り口１２２を有するコンテナ１２０は、トラックで運ぶことができるが、現場で、２つの折り畳まれたユニット１２４が、各々、拡張可能コンテナ１２０の各長い側から拡張されて、約３つのコンテナの体積を有するシェルターを形成する。かかる拡張可能コンテナは、当技術分野で周知であることに言及しておきたい。ユニット１２４は、使用後、広げることができる。フルサイズ構造にすると、本明細書で以前に示したような防護パネルが、コンテナ壁に隣接して提供できる。多層防御システムを形成するために、いくつかの防護パネルが、１つを他のパネルおよび層間に配置できるバッファの上に重ねて、配置できる。
【００６７】
任意選択または代替として、多層防御システムの壁に隣接して配置するためにクレーンを必要とする、本明細書で前述したようなフルサイズの防護パネルを配置する代わりに、別の実施形態に従い、もっと小さいサイズの防護板が使用できる。
【００６８】
ここで図１３Ａおよび図１３Ｂを参照すると、例示的な実施形態に従った壁を構築するために使用できる防護板が示されている。防護板は防護パネルと同じ材料で作ることができ、同様の防護特性を有する。防護板１３０は、内側に、本明細書で以前に開示した構造ユニットまたはコンテナの壁およびフレームに提供される対応するリングに吊るすことが可能な、好ましくは２つの突起ピン１３２を有する。このようにして、防御システム上に防御層を形成するために、図１４に示す壁が構造要素上に構築できる。
【００６９】
防護板は、多層防御で防護されている壁に隣接して配置できる専用構造物上にも配置できることに留意すべきである。それらの構造物は当技術分野で周知である。
【００７０】
図１３Ｂに見られるように、防護板の外側には、ユーザーがそれで板を壁に吊るすことができるハンドル１３４（好ましくは２つ）を備えている。防護板１３０の外側には、複数の板を形成できる追加の吊り下げ防護板を受け入れるように適合される、さらなるリング１３６も備えている。
【００７１】
従って、図１４に示すような防護壁１４０は、１つを他に隣接して複数の層を配置して、多層システムを形成しながら、防御システム上に配置された層として機能できる。防護板を使用する利点は、クレーンが不必要になることである。
【００７２】
ある程度の詳細な事項まで実施形態を説明してきたが、様々な代替手段および修正が、後述でクレームする本発明の精神および範囲から逸脱することなく、行われ得ることが理解されるべきである。
【００７３】
例えば、たとえ具体的に言及していなくても、ドアを備えた構造要素は、ドアは、紛争区域から離れて配置される。ドアのある壁を覆う防護パネルは、開いたドア開口部を備えている必要はない。あるいは、ドア開口部は、防護パネルの構造と同様の構造から形成されたドアによって覆われ得る。この場合、外側ドア、すなわち、防護パネルのドアは外側に開き、壁のドアは内側へ開くことは、有益であり得る。
【００７４】
多層防御システム内の部隊の装甲車両を防護する必要がある場合、車両は、防御の必要性を満たす形で追加の防護パネルによって防護され得る。
【図１】
2018519444.tif 000003
【図２】
2018519444.tif 000004
【図３】
2018519444.tif 000005
【図４】
2018519444.tif 000006
【図５】
2018519444.tif 000007
【図６】
2018519444.tif 000008
【図７】
2018519444.tif 000009
【図８】
2018519444.tif 000010
【図９】
2018519444.tif 000011
【図１０】
2018519444.tif 000012
【図１１】
2018519444.tif 000013
【図１２Ａ】
2018519444.tif 000014
【図１２Ｂ】
2018519444.tif 000015
【図１３Ａ】
2018519444.tif 000016
【図１３Ｂ】
2018519444.tif 000017
【図１４】
2018519444.tif 000018
【国際調査報告】
2018519444.tif 000019